(57)【要約】【課題】本発明は、記録媒体と、その製造方法と、記録媒体を用いた電子機器に関するもので、記録容量を増大することを目的とするものである。【解決手段】そして、その目的を達成するために、本発明は、板体２の内部に、この板体２の厚さ方向に、複数層のマイクロホログラム層７、８を設け、これら複数層のマイクロホログラム層７，８の内、前記板体２の一表面側のマイクロホログラム層７を構成するマイクロホログラム４は、前記板体２の内層側のマイクロホログラム層８を構成するマイクロホログラム３よりは、前記板体２の板厚方向の寸法を小さくした。【選択図】図２
2010097638.tif 000002
【特許請求の範囲】
【請求項１】
板体の内部に、この板体の厚さ方向に、複数層のマイクロホログラム層を設け、これら複数層のマイクロホログラム層の内、前記板体の一表面側のマイクロホログラム層を構成するマイクロホログラムは、前記板体の内層側のマイクロホログラム層を構成するマイクロホログラムよりは、前記板体の板厚方向の寸法を小さくした記録媒体。
【請求項２】
板体の一表面側のマイクロホログラム層を構成するマイクロホログラムは、前記板体の内層側のマイクロホログラム層を構成するマイクロホログラムよりは、前記板体の板厚方向に直交する方向の寸法を小さくした請求項１に記載の記録媒体。
【請求項３】
請求項１、または２に記載の記録媒体の製造方法であって、板体の一表面側のマイクロホログラム層を構成するマイクロホログラムを形成するための第１のレンズは、前記板体の内層側のマイクロホログラム層を構成するマイクロホログラムを形成するための第２のレンズよりは、ＮＡを大きくする記録媒体の製造方法。
【請求項４】
請求項１、または２に記載の記録媒体の記録、または再生を行う電子機器であって、板体の一表面側のマイクロホログラム層を構成するマイクロホログラムに光を照射するための第３のレンズは、前記板体の内層側のマイクロホログラム層を構成するマイクロホログラムに光を照射するための第４のレンズよりは、ＮＡを大きくした電子機器。
【請求項５】
第３のレンズは、ＤＶＤとＣＤの少なくとも一方の記録、または再生用として兼用した請求項４に記載の電子機器。
【請求項６】
第４のレンズは、ＢＤの記録、または再生用として兼用した請求項４、または５に記載の電子機器。
【発明の詳細な説明】
【技術分野】
【０００１】
本発明は、記録媒体と、その製造方法と、記録媒体を用いた電子機器に関するものである。
【背景技術】
【０００２】
近年、記録容量を高めるために記録媒体に多層記録することが種々提案されている。
【０００３】
すなわち、板体の内部に、この板体の厚さ方向に、複数層のマイクロホログラム層を設けたもので、マイクロホログラム層が多層となっているので、記録容量は極めて高くなる（例えば下記特許文献１）。
【特許文献１】米国特許第７３８８６９５号明細書
【発明の開示】
【発明が解決しようとする課題】
【０００４】
上記従来例においては、板体の内部に複数層のマイクロホログラム層を形成するために、用いるレンズはＮＡを小さくして、光が板体の内部にまで到達するようにしている。
【０００５】
そして、このレンズを用いて板体の表面側のマイクロホログラム層も、内層側のマイクロホログラム層も、同じ大きさのマイクロホログラムを形成している。
【０００６】
しかしながら、上記のごとくＮＡの小さなレンズを用いて形成した各層のマイクロホログラムは、板体の厚さ方向の寸法が長くなり、その結果として板体内に多くのマイクロホログラム層を形成することが出来ず、そのことが記録容量の増大化の障害となっている。
【０００７】
そこで、本発明は記録容量の増大化を図ることを目的とするものである。
【課題を解決するための手段】
【０００８】
そして、この目的を達成するために本発明は、板体の内部に、この板体の厚さ方向に、複数層のマイクロホログラム層を設け、これら複数層のマイクロホログラム層の内、前記板体の一表面側のマイクロホログラム層を構成するマイクロホログラムは、前記板体の内層側のマイクロホログラム層を構成するマイクロホログラムよりは、前記板体の板厚方向の寸法を小さくし、これにより初期の目的を達成するものである。
【発明の効果】
【０００９】
以上のように本発明は、板体の内部に、この板体の厚さ方向に、複数層のマイクロホログラム層を設け、これら複数層のマイクロホログラム層の内、前記板体の一表面側のマイクロホログラム層を構成するマイクロホログラムは、前記板体の内層側のマイクロホログラム層を構成するマイクロホログラムよりは、前記板体の板厚方向の寸法を小さくしたものであるので、記録容量の増大化を図ることが出来る。
【００１０】
すなわち、本発明においては、板体の内部に設けた複数層のマイクロホログラム層の内、前記板体の一表面側のマイクロホログラム層を構成するマイクロホログラムを、前記板体の内層側のマイクロホログラム層を構成するマイクロホログラムよりは、前記板体の板厚方向の寸法を小さくしたものであるので、板体の厚さ方向に、より多くマイクロホログラム層を形成することが出来、その結果として記録容量を増大することが出来るのである。
【発明を実施するための最良の形態】
【００１１】
以下、本発明の一実施形態を、添付図面を用いて説明する。
【００１２】
図１は記録媒体として、マイクロホログラムディスク（ＭＨ）、ＣＤ、ＤＶＤ、ＢＤを記録、再生することが出来る電子機器を示している。
【００１３】
先ずは記録媒体として、マイクロホログラムディスク（ＭＨ）を用いた場合における、記録、再生について説明する。
【００１４】
図１に示したマイクロホログラムディスク（ＭＨ）１は、円板状の板体２で形成されており、この図１には図示していないが、その中心部分に形成した貫通孔に駆動軸が挿入され、これにより回転駆動されるようになっている。
【００１５】
本実施形態で用いるマイクロホログラムディスク（ＭＨ）１は図２に示すように、板体２の内部にあらかじめマイクロホログラム３、４が形成されたものである。つまり、上記（特許文献１）の技術を利用し、板体２の内部にマイクロホログラム３、４を形成したものであって、記録時にはマイクロホログラム３、４に光を照射して光学的な変質を起こさせ、また光を照射しないマイクロホログラム３、４は元の状態を保持する状態とし、これにより、いわゆる「１」、「０」のデジタル記録が行えるのである。
【００１６】
そして、再生時には、マイクロホログラム３、４が光学的な変質を起こしているか、起こしていないかで形成された前記「１」、「０」のデジタル信号を得ることが出来、これにて再生が行われるのである。
【００１７】
本実施形態における特徴点は、図２に示すごとく、板体２の一表面側（図１のレンズ５，６側）に設けたマイクロホログラム層７、つまりマイクロホログラム４により構成されたマイクロホログラム層７と、板体２の内層から他表面側にかけて設けたマイクロホログラム層８、つまりマイクロホログラム３により構成されたマイクロホログラム層８とを有することである。
【００１８】
具体的には、マイクロホログラム層７は２３層存在し、マイクロホログラム層８は３０層存在する。
【００１９】
また、図２に示すように、マイクロホログラム層７を構成するマイクロホログラム４は、マイクロホログラム層８を構成するマイクロホログラム３よりも板体２の厚さ方向の寸法を小さく（例えばマイクロホログラム４：マイクロホログラム３＝１：３）している。
【００２０】
さらに、板体２の厚さ方向に直交する方向の寸法も、マイクロホログラム層７を構成するマイクロホログラム４の方が、マイクロホログラム層８を構成するマイクロホログラム３よりも小さく（例えばマイクロホログラム４：マイクロホログラム３＝１：１．５）している。
【００２１】
そのため、板体２の全てのマイクロホログラム層（７部分と８部分）を、マイクロホログラム３で構成した場合に比べて、その記録容量を２倍以上に増大することが出来た。
【００２２】
つまり、マイクロホログラム層７を構成するマイクロホログラム４を、マイクロホログラム層８を構成するマイクロホログラム３よりも、板体２の厚さ方向の寸法を小さく（例えばマイクロホログラム４：マイクロホログラム３＝１：３）するだけでも、記録容量を２倍以上に増大することが出来るが、板体２の厚さ方向に直交する方向の寸法も、マイクロホログラム層７を構成するマイクロホログラム４の方を、マイクロホログラム層８を構成するマイクロホログラム３よりも小さく（例えばマイクロホログラム４：マイクロホログラム３＝１：１．５）すれば、より、記録容量を大きくすることが出来るのである。
【００２３】
また、そのように、マイクロホログラム層７を構成するマイクロホログラム４は、マイクロホログラム層８を構成するマイクロホログラム３よりも板体２の厚さ方向の寸法を小さく（例えばマイクロホログラム４：マイクロホログラム３＝１：３）し、さらに板体２の厚さ方向に直交する方向の寸法も、マイクロホログラム層７を構成するマイクロホログラム４の方が、マイクロホログラム層８を構成するマイクロホログラム３よりも小さく（例えばマイクロホログラム４：マイクロホログラム３＝１：１．５）することは、レンズのＮＡを大きくすることで同時に形成出来る。
【００２４】
ここで、以上のようなマイクロホログラムディスク（ＭＨ）１の形成について簡単に説明する。
【００２５】
先ず、マイクロホログラム層８を構成するマイクロホログラム３は、図２からも理解されるように、板体２の内層にも形成しなければならないので、それを作るためのレンズはＮＡが小さなものをマスターホログラムディスク（図示せず）の両面に配置して構成する。
【００２６】
これに対して、マイクロホログラム層７を構成するマイクロホログラム４は、図２からも理解されるように、板体２の一表面側だけに形成すればよいので、それを作るためのレンズはＮＡが大きなものをマスターホログラムディスク（図示せず）の両面に配置して構成する。ただし、レンズ５とは反対側のレンズ（図示せず）は、ＮＡが同じでもその径が極めて大きなものが必要となる。
【００２７】
そして、そのようにして形成したマスターホログラムディスクから共役ホログラムディスク（図示せず）を形成し、その共役ホログラムディスクを利用して上記マイクロホログラムディスク（ＭＨ）１を形成した。
【００２８】
上記のごとく、マスターホログラムディスクを形成する場合には、レンズ５とは反対側のレンズは、ＮＡが同じでもその径が極めて大きなものが必要となるが、ただし、それはマスターホログラムディスクやマイクロホログラムディスク（ＭＨ）１の製造工場において必要なものであって、図２のごとくすでにマイクロホログラム層７、８が形成されたマイクロホログラムディスク（ＭＨ）１を用いて記録、再生を行う電子機器では、レンズ６と、それよりもＮＡが大きなレンズ５の２個を用いるだけで構成出来るので、電子機器の大型化にはつながらない。
【００２９】
さて、本実施形態では図２に示したマイクロホログラムディスク（ＭＨ）１を用いて記録、再生を行うために図１に示す構成を採用した。
【００３０】
先ずは、図１、図２を用いて、板体２の一表面側に形成したマイクロホログラム層７への記録、再生について説明する。
【００３１】
レーザーダイオード９から出射された青色のレーザ光は、リレーレンズ１０、ビームスプリッタ１１、液晶式の１／２波長板１２、球面収差補正素子１３、ビームスプリッタ１４、１／４波長板１５を通過し、レンズ５を介して目的とするマイクロホログラム層７のマイクロホログラム４に照射される。
【００３２】
この時は記録時であるので、マイクロホログラム４に照射するレーザ光を強く（読み取り時の約１０倍）しており、これによりレーザ光が照射されたマイクロホログラム４は光学的な変性を起こし、またレーザ光が照射されなかったマイクロホログラム４は光学的な変性は起こしていない。つまりこれによりデジタル的な、いわゆる１、０のデジタル信号による記録が行われる。
【００３３】
なお、ビームスプリッタ１１は青色のレーザ光は通過させるが、赤色や赤外のレーザ光は通過させないものである。
【００３４】
また液晶式の１／２波長板１２は電圧印加により偏光方向を変えるものであるが、この図１の場合は、ＯＦＦ状態である。
【００３５】
さらにビームスプリッタ１４は、Ｐ偏光を通過させ、Ｓ偏光は反射させるものである。
次にマイクロホログラム層７の再生について説明する。
【００３６】
図１における破線は信号再生時を示し、この時はマイクロホログラム４に照射するレーザ光を弱く（記録時の１／１０）しているので、マイクロホログラム層７のマイクロホログラム４に光学的な変性は起こさせず、ひたすらマイクロホログラム４からの反射波を受光素子１６で受光し、再生信号を得るようにしている。
【００３７】
マイクロホログラム４からの反射波は、レンズ５に到達する前に一度１／４波長板１５を通過しているので、反射波として再度通過することでＰ偏光からＳ偏光となり、よってビームスプリッタ１４で反射され、次に球面収差補正素子１７、ＢＤのトラッキング用素子１８、焦点調整レンズ１９を介して上述のごとく受光素子１６に到達するようになっているのである。
【００３８】
次に図３は、板体２の内層から他表面側にかけて設けたマイクロホログラム層８、つまりマイクロホログラム３により構成されたマイクロホログラム層８への記録と再生を示すものである。
【００３９】
この場合、上記液晶式の１／２波長板１２に電圧印加することでレーザーダイオード９から出射された青色のレーザ光をＳ偏光に偏向し、ビームスプリッタ１４で反射させるようにしている。
【００４０】
ビームスプリッタ１４で反射した青色のレーザ光は、全ての光を反射するビームスプリッタ２０で反射され、１／４波長板２１を通過後、レンズ６を介して目的とするマイクロホログラム層８のマイクロホログラム３に照射される（レンズ６のＮＡは、レンズ５のＮＡよりも小さいので奥まで届く）。
【００４１】
この時は記録時であるので、マイクロホログラム３に照射するレーザ光を強く（読み取り時の約１０倍）しており、これによりレーザ光が照射されたマイクロホログラム３は光学的な変性を起こし、またレーザ光が照射されなかったマイクロホログラム４は光学的な変性は起こしていない。つまりこれによりデジタル的な、いわゆる１、０のデジタル信号による記録が行われる。
【００４２】
次にマイクロホログラム層８の再生について説明する。
【００４３】
図３における破線は信号再生時を示し、この時はマイクロホログラム３に照射するレーザ光を弱く（記録時の１／１０）しているので、マイクロホログラム層８のマイクロホログラム３に光学的な変性は起こさせず、ひたすらマイクロホログラム３からの反射波を受光素子１６で受光し、再生信号を得るようにしている。
【００４４】
マイクロホログラム３からの反射波は、レンズ６に到達する前に一度１／４波長板２１を通過しているので、反射波として再度通過することでＳ偏光からＰ偏光となり、よってビームスプリッタ２０で反射後、ビームスプリッタ１４を通過し、次に球面収差補正素子１７、ＢＤのトラッキング用素子１８、焦点調整レンズ１９を介して上述のごとく受光素子１６に到達するようになっているのである。なお、ビームスプリッタ２０はミラーに代えても良い。
【００４５】
図４はレンズ６を、ＣＤ２２の記録、再生用として活用する状態を示している。
【００４６】
つまり、ＣＤ２２はレンズ６とは離れた面に信号を記録し、またはそこから信号を読み出すものであるので、ＮＡの小さなレンズ６が活用出来る。
【００４７】
この場合、レーザーダイオード２３からは赤外光のレーザ光が出射され、これがビームスプリッタ１１で反射され、液晶式の１／２波長板１２に電圧印加することでＳ偏光に偏向され、ビームスプリッタ１４で反射される。
【００４８】
ビームスプリッタ１４で反射した赤外光のレーザ光は、全ての光を反射するビームスプリッタ２０で反射され、１／４波長板２１を通過後、レンズ６を介してＣＤ２２の目的とする部分に照射される（レンズ６のＮＡは、レンズ５のＮＡよりも小さいので奥まで届く）。
【００４９】
この時は記録時であるので、ＣＤ２２に照射するレーザ光を、読み取り時よりも強くしており、これによりレーザ光が照射されたＣＤ２２への記録が行える。
【００５０】
次にＣＤ２２の再生について説明する。
【００５１】
図４における破線は信号再生時を示し、この時はＣＤ２２に照射するレーザ光を、記録時よりも弱くしているので、ひたすらＣＤ２２からの反射波を受光素子１６で受光し、再生信号を得るようにしている。
【００５２】
ＣＤ２２からの反射波は、レンズ６に到達する前に一度１／４波長板２１を通過しているので、反射波として再度通過することでＳ偏光からＰ偏光となり、よってビームスプリッタ２０で反射後、ビームスプリッタ１４を通過し、次に球面収差補正素子１７、ＢＤのトラッキング用素子１８、焦点調整レンズ１９を介して上述のごとく受光素子１６に到達するようになっているのである。
【００５３】
図５はレンズ６を、ＤＶＤ２４の記録、再生用として活用する状態を示している。
【００５４】
つまり、ＤＶＤ２４はレンズ６とは離れた面（中央部分）に信号を記録し、または読み出すものであるので、ＮＡの小さなレンズ６が活用出来る。
【００５５】
この場合、レーザーダイオード２３からは赤色のレーザ光が出射され、これがビームスプリッタ１１で反射され、液晶式の１／２波長板１２に電圧印加することでＳ偏光に偏向され、ビームスプリッタ１４で反射される。
【００５６】
ビームスプリッタ１４で反射した赤外光のレーザ光は、全ての光を反射するビームスプリッタ２０で反射され、１／４波長板２１を通過後、レンズ５を介してＤＶＤ２４の目的とする部分に照射される（レンズ６のＮＡは、レンズ５のＮＡよりも小さいので奥まで届く）。
【００５７】
この時は記録時であるので、ＤＶＤ２４に照射するレーザ光を、読み取り時よりも強くしており、これによりレーザ光が照射されたＤＶＤ２４への記録が行える。
【００５８】
次にＤＶＤ２４の再生について説明する。
【００５９】
図５における破線は信号再生時を示し、この時はＤＶＤ２４に照射するレーザ光を、記録時よりも弱くしているので、ひたすらＤＶＤ２４からの反射波を受光素子１６で受光し、再生信号を得るようにしている。
【００６０】
ＤＶＤ２からの反射波は、レンズ６に到達する前に一度１／４波長板２１を通過しているので、反射波として再度通過することでＳ偏光からＰ偏光となり、よってビームスプリッタ２０で反射後、ビームスプリッタ１４を通過し、次に球面収差補正素子１７、ＢＤのトラッキング用素子１８、焦点調整レンズ１９を介して上述のごとく受光素子１６に到達するようになっているのである。
【００６１】
図６はレンズ５を、ＢＤ２５の記録、再生用として活用する状態を示している。
【００６２】
つまり、ＢＤ２５はレンズ５の近傍に信号を記録し、またはそこから信号を読み出すものであるので、ＮＡの大きなレンズ５が活用出来る。
【００６３】
先ずは、図６を用いて、ＢＤ２５記録について説明する。
【００６４】
レーザーダイオード９から出射された青色のレーザ光は、リレーレンズ１０、ビームスプリッタ１１、液晶式の１／２波長板１２、球面収差補正素子１３、ビームスプリッタ１４、１／４波長板１５を通過し、レンズ５を介してＢＤ２５の目的部分に照射される。
【００６５】
この時は記録時であるので、ＢＤ２５に照射されるレーザ光を、読み取り時よりも強くしており、これによりレーザ光が照射されたＢＤ２５への記録が行われる。
【００６６】
なお、液晶式の１／２波長板１２は電圧印加しておらず、偏光方向の変化は行われない。
次にＢＤ２５の再生について説明する。
【００６７】
図６における破線は信号再生時を示し、この時はＢＤ２５に照射するレーザ光を、記録時よりも小さくしているので、ひたすらＢＤ２５からの反射波を受光素子１６で受光し、再生信号を得るようにしている。
【００６８】
ＢＤ２５からの反射波は、レンズ５に到達する前に一度１／４波長板１５を通過しているので、反射波として再度通過することでＰ偏光からＳ偏光となり、よってビームスプリッタ１４で反射され、次に球面収差補正素子１７、ＢＤのトラッキング用素子１８、焦点調整レンズ１９を介して上述のごとく受光素子１６に到達するようになっているのである。
【産業上の利用可能性】
【００６９】
以上のように本発明は、板体の内部に、この板体の厚さ方向に、複数層のマイクロホログラム層を設け、これら複数層のマイクロホログラム層の内、前記板体の一表面側のマイクロホログラム層を構成するマイクロホログラムは、前記板体の内層側のマイクロホログラム層を構成するマイクロホログラムよりは、前記板体の板厚方向の寸法を小さくしたものであるので、記録容量の増大化を図ることが出来る。
【００７０】
すなわち、本発明においては、板体の内部に設けた複数層のマイクロホログラム層の内、前記板体の一表面側のマイクロホログラム層を構成するマイクロホログラムを、前記板体の内層側のマイクロホログラム層を構成するマイクロホログラムよりは、前記板体の板厚方向の寸法を小さくしたものであるので、板体の厚さ方向により多くマイクロホログラム層を形成することが出来、その結果として記録容量を増大することが出来るのである。
【００７１】
このため、各種の電子機器の記録媒体として広く活用が期待される。
【図面の簡単な説明】
【００７２】
【図１】本発明の一実施形態を示すブロック図
【図２】本発明の一実施形態を示すブロック図
【図３】本発明の一実施形態を示すブロック図
【図４】本発明の一実施形態を示すブロック図
【図５】本発明の一実施形態を示すブロック図
【図６】本発明の一実施形態を示すブロック図
【符号の説明】
【００７３】
１    マイクロホログラムディスク
２    板体
３    マイクロホログラム
４    マイクロホログラム
５    レンズ
６    レンズ
７    マイクロホログラム層
８    マイクロホログラム層
９    レーザーダイオード
１０  リレーレンズ
１１    ビームスプリッタ
１２    １／２波長板
１３    球面収差補正素子
１４    ビームスプリッタ
１５    １／４波長板
１６    受光素子
１７    球面収差補正素子
１８    トラッキング用素子
１９    焦点調整レンズ
２０    ビームスプリッタ
２１    １／４波長板
２２    ＣＤ
２３    レーザーダイオード
２４    ＤＶＤ
２５    ＢＤ
【図１】
2010097638.tif 000003
【図２】
2010097638.tif 000004
【図３】
2010097638.tif 000005
【図４】
2010097638.tif 000006
【図５】
2010097638.tif 000007
【図６】
2010097638.tif 000008